(57)【特許請求の範囲】
【請求項１】
し渣を含む流入原水をろ過水とし渣とに分別するドラムスクリーンと、そのドラムスクリーンから排出され落下してきたし渣を受け取るホッパと、そのホッパから落下してきたし渣をし渣排出口へとスクリューで重力に抗して押してその圧搾により脱水する脱水機とを備えたし渣除去装置であって、前記ホッパへ水を噴射するためのホッパ洗浄ノズルと、前記スクリューの回転と停止を所定周期で交互に反復させると共に前記ホッパ洗浄ノズルによる前記ホッパへの水の噴射を前記スクリューの休止時にのみ行わせる制御手段を設けたことを特徴とするし渣除去装置。
【発明の詳細な説明】
【０００１】
【発明の属する技術分野】
本発明は、し渣除去装置に関し、さらに詳しくは、し渣がホッパーの受け口に詰まること及びし渣が脱水機のし渣排出口から排出できなくなることを防止できるし渣除去装置に関する。
【０００２】
【従来の技術】
図３は、従来公知のし渣除去装置を示す概略構成図である。また、図４は、そのドラムスクリーンの概略断面図である。
このし渣除去装置５００は、し渣（野菜屑等の厨芥、糞塊、紙屑など）を含む流入原水Ｗを導入し流入トラフ１ａからドラムスクリーン２の内部に落下させる原水導入管１と、ウェッジワイヤーを円筒方向に配置したドラムであって流入原水Ｗの落下方向と反対方向にドラムモータ２ａにより回転させられろ過水Ｆとし渣Ｓとを分別するドラムスクリーン２と、そのドラムスクリーン２の外周面に洗浄水Ｃを噴射するドラム洗浄ノズル３と、前記ドラムスクリーン２から落下してきたろ過水Ｆを受けるろ過水槽４と、前記ドラムスクリーン２のし渣排出ガイド２ｂによりドラムスクリーン２の内部から排出され落下してきたし渣Ｓを受け取るホッパ５と、そのホッパ５から落下してきたし渣Ｓを脱水モータ６ａにより回転するスクリュー６ｂで口径の小さいし渣排出口６ｃへと重力に抗して押してその圧搾により脱水する脱水機６と、し渣Ｓから脱水された水を受け取る脱水ドレン受け７と、前記し渣排出口６ｃから排出され落下してきた脱水後のし渣Ｓ’を収容するし渣受けかご８と、前記ドラムモータ２ａおよび前記脱水モータ６ａの回転を制御する制御装置５０とを具備している。
【０００３】
【発明が解決しようとする課題】
流入原水Ｗに含まれるし渣の量は一定ではなく、時間的変動がある。つまり、し渣を多く含んだ流入原水Ｗが流入する期間もあれば、し渣をほとんど含まない流入原水Ｗが流入する期間もある。
【０００４】
し渣を多く含んだ流入原水Ｗが流入する期間が続くと、上記従来のし渣除去装置５００では、ドラムスクリーン２からし渣がホッパー５の受け口に大量に落下し続けるため、ホッパー５の受け口でブリッジを起こし、詰まってしまうことがある問題点があった。
【０００５】
また逆に、し渣をほとんど含まない流入原水Ｗが流入する期間が続くと、上記従来のし渣除去装置５００では、先に導入されたし渣Ｓをスクリュー６ｂの回転で押し出すべき後続のし渣Ｓが供給されないため、先に導入されたし渣Ｓがし渣排出口６ｃの手前に留まり、スクリュー６ｂの回転で繰り返し剪断を受けてペースト状となり、これが潤滑剤の役目を果たし、その後に新たなし渣Ｓが供給されても、滑りを起こして重力に抗して進むことができず、し渣排出口６ｃからし渣Ｓを排出できなくなることがある問題点があった。
【０００６】
そこで、本発明の第１の目的は、し渣がホッパーの受け口に詰まることを防止できるし渣除去装置を提供することにある。
また、本発明の第２の目的は、し渣が脱水機のし渣排出口から排出できなくなることを防止できるし渣除去装置を提供することにある。
【０００７】
【課題を解決するための手段】
第１の観点では、本発明は、し渣を含む流入原水をろ過水とし渣とに分別するドラムスクリーンと、そのドラムスクリーンから排出され落下してきたし渣を受け取るホッパと、そのホッパから落下してきたし渣をし渣排出口へとスクリューで重力に抗して押してその圧搾により脱水する脱水機とを備えたし渣除去装置であって、前記ホッパに水を噴射するホッパ洗浄ノズルを設けたことを特徴とするし渣除去装置を提供する。
上記第１の観点によるし渣除去装置では、ホッパ洗浄ノズルからホッパに水を噴射するため、ホッパーの受け口に引っ掛ったし渣も直ちに流し落とされ、ブリッジを起こさなくなる。よって、し渣を多く含んだ流入原水が流入する期間が続いても、し渣がホッパーの受け口に詰まらなくなる。また、脱水機内部に滞留しているし渣が、ホッパに噴射した水で洗浄されるので、脱水されるし渣を清浄なものとすることが出来る。
【０００８】
第２の観点では、本発明は、上記第１の観点のし渣除去装置において、前記水の噴射を間欠的に行わせる制御手段を設けたことを特徴とするし渣除去装置を提供する。
上記第２の観点によるし渣除去装置では、ホッパ洗浄ノズルからホッパの受け口に水を噴射することを間欠的に行うため、洗浄水を節約できる。
【０００９】
第３の観点では、本発明は、し渣を含む流入原水をろ過水とし渣とに分別するドラムスクリーンと、そのドラムスクリーンから排出され落下してきたし渣を受け取るホッパと、そのホッパから落下してきたし渣をし渣排出口へとスクリューで重力に抗して押してその圧搾により脱水する脱水機とを備えたし渣除去装置であって、前記スクリューを間欠的に回転させる制御手段を設けたことを特徴とするし渣除去装置を提供する。
上記第３の観点によるし渣除去装置では、脱水機のスクリューを間欠的に回転させるため、し渣排出口の手前にし渣が留まっても、スクリューの回転で剪断を受ける時間が減り、ペースト状になり難くなる、よって、新たなし渣が供給された時に滑りを起こすことがなくなり、し渣排出口からし渣を好適に排出できるようになる。
【００１０】
第４の観点では、本発明は、し渣を含む流入原水をろ過水とし渣とに分別するドラムスクリーンと、そのドラムスクリーンから排出され落下してきたし渣を受け取るホッパと、そのホッパから落下してきたし渣をし渣排出口へとスクリューで重力に抗して押してその圧搾により脱水する脱水機とを備えたし渣除去装置であって、前記ホッパに水を噴射するホッパ洗浄ノズルと、前記水の噴射を間欠的に行わせると共に前記スクリューを間欠的に回転させる制御手段とを設けたことを特徴とするし渣除去装置を提供する。
上記第４の観点によるし渣除去装置では、ホッパ洗浄ノズルからホッパの受け口に水を噴射するため、ホッパーの受け口に引っ掛ったし渣も直ちに流し落とされ、ブリッジを起こさなくなる。よって、し渣を多く含んだ流入原水が流入する期間が続いても、し渣がホッパーの受け口に詰まらなくなる。そして、ホッパ洗浄ノズルからホッパの受け口に水を噴射することを間欠的に行うため、洗浄水を節約できる。さらに、脱水機のスクリューを間欠的に回転させるため、し渣排出口の手前にし渣が留まっても、スクリューの回転で剪断を受ける時間が減り、ペースト状になり難くなる、よって、新たなし渣が供給された時に滑りを起こすことがなくなり、し渣排出口からし渣を好適に排出できるようになる。また、脱水機内部に滞留しているし渣が、ホッパに噴射した水で洗浄されるので、脱水されるし渣を清浄なものとすることが出来る。
【００１１】
【発明の実施の形態】
以下、図を参照して本発明の実施の形態を説明する。なお、これにより本発明が限定されるものではない。
図１は、本発明の一実施形態に係るし渣除去装置を示す概略断面図である。
このし渣除去装置１００は、し渣を含む流入原水Ｗを導入し流入トラフ１ａからドラムスクリーン２の内部に落下させる原水導入管１と、ウェッジワイヤーを円筒方向に配置したドラムであって流入原水Ｗの落下方向と反対方向にドラムモータ２ａにより回転させられろ過水Ｆとし渣Ｓとを分別するドラムスクリーン２と、そのドラムスクリーン２の外周面に洗浄水Ｃを噴射するドラム洗浄ノズル３と、前記ドラムスクリーン２から落下してきたろ過水Ｆを受けるろ過水槽４と、前記ドラムスクリーン２のし渣排出ガイド２ｂによりドラムスクリーン２の内部から排出され落下してきたし渣Ｓを受け取るホッパ５と、そのホッパ５から落下してきたし渣Ｓを脱水モータ６ａにより回転するスクリュー６ｂで口径の小さいし渣排出口６ｃへと重力に抗して押してその圧搾により脱水する脱水機６と、し渣Ｓから脱水された水を受け取る脱水ドレン受け７と、前記し渣排出口６ｃから排出され落下してきた脱水後のし渣Ｓ’を収容するし渣受けかご８と、前記ホッパ５の受け口の傾斜面に向けて洗浄水Ｃを噴射すると共に洗浄水Ｃの一部を脱水機６の内部へ噴射するためのホッパ洗浄ノズル１０およびホッパ洗浄バルブ１０ａと、前記ドラムモータ２ａおよび前記脱水モータ６ａの回転並びに前記ホッパ洗浄バルブ１０ａの開閉を制御する制御装置２０とを具備して構成されている。
【００１２】
図２の（ａ）（ｂ）は、前記制御装置２０による前記ホッパ洗浄バルブ１０ａの開閉制御および前記脱水モータ６ａの回転制御を示すタイムチャートの例示図である。
図２の（ａ）では、前記ホッパ洗浄バルブ１０ａは、例えば１０分間の“閉”状態と３０秒間の“開”状態を交互に反復される。
また、前記脱水モータ６ａは、例えば１０分間の“休止”状態と３０秒間の“運転”状態を交互に反復される。
ここで、まず前記ホッパ洗浄バルブ１０ａを“開”状態とし、し渣Ｓがホッパ５から脱水機６のスクリュ−６ｂにからまる位置まで洗浄水で流し落とす。次いで、前記し渣Ｓ中に含まれる洗浄水が前記脱水ドレン受７に流出した後、前記脱水モータ６ａを“運転”する、つまり、脱水機６を運転する、のが好ましい。
図２の（ｂ）では、前記ホッパ洗浄バルブ１０ａは、例えば３分間の“閉”状態と３０秒間の“開”状態を交互に反復される。
また、前記脱水モータ６ａは、例えば１０分間の“休止”状態と３０秒間の“運転”状態を交互に反復される。
ここでは、脱水機６の内部に滞留しているし渣Ｓが、ホッパ５に噴射した洗浄水で繰り返し洗浄され、その後で脱水されるため、排出されるし渣Ｓ’を、より清浄なものとすることが出来る。
なお、流入原水Ｗの導入および前記ドラムモータ２ａの回転は連続で行う。また、ドラム洗浄ノズル３からの洗浄水Ｃの噴射は、連続でもよいし、間欠的でもよい。ドラム洗浄ノズル３からの洗浄水Ｃの噴射を間欠的とする場合、そのための独立のバルブを設けてもよいし、ホッパ洗浄バルブ１０ａで兼用させてもよい。
【００１３】
（実施例）
流入原水Ｗは、前段で沈殿池および荒目スクリーンを通した家庭雑廃水で、ＢＯＤ２００ｍｇ／ｌ，濁質成分２００ｍｇ／ｌである。
ドラムスクリーン２から排出されるし渣Ｓは、その成分が厨芥９８％，毛髪０.４％，紙類１.５％，プラスチック類０.１％であり、含水率は９２〜９５％であった。
前記ホッパ洗浄バルブ１０ａは、１０分間の“閉”状態と３０秒間の“開”状態を交互に反復し、それと若干タイミングをずらして、前記脱水モータ６ａを、１０分間の“休止”状態と３０秒間の“運転”状態を交互に反復させた。
脱水機６のし渣排出口６ｃから排出されるし渣Ｓ’の含水率は７５〜８５％であった。
３ヶ月間連続稼働させたが、し渣Ｓがホッパー５の受け口に詰まることはなかった。また、し渣Ｓ’が脱水機６のし渣排出口６ｃから排出できなくなることもなかった。
【００１４】
【発明の効果】
本発明のし渣除去装置によれば、し渣を多く含んだ流入原水が流入する期間が続いた場合にホッパーの受け口にし渣が詰まってしまうことを防止できる。また、し渣をほとんど含まない流入原水が流入する期間が続いた場合にし渣が脱水機のし渣排出口から排出できなくなることを防止できる。
【図面の簡単な説明】
【図１】本発明の一実施形態に係るし渣除去装置を示す概略構成図である。
【図２】本発明の一実施形態に係るし渣除去装置におけるホッパ洗浄バルブの開閉制御と脱水モータの回転制御を示すタイムチャートである。
【図３】従来のし渣除去装置の一例を示す概略構成図である。
【図４】ドラムスクリーンの概略断面図である。
【符号の説明】
１      原水導入管
１ａ    流入トラフ
２      ドラムスクリーン
２ａ    ドラムモータ
２ｂ    し渣排出ガイド
３      ドラム洗浄ノズル
４      ろ過水槽
５      ホッパー
６      脱水機
６ａ    脱水モータ
６ｂ    スクリュー
６ｃ    し渣排出口
７      脱水ドレン受け
８      し渣受けかご
１０      ホッパ洗浄ノズル
１０ａ    ホッパ洗浄バルブ
２０      制御装置
１００      し渣除去装置
Ｃ      洗浄水
Ｆ      ろ過水
Ｓ      し渣（脱水前）
Ｓ’    し渣（脱水後
Ｗ      流入原水
【図１】
0004611480.tif 000002
【図２】
0004611480.tif 000003
【図３】
0004611480.tif 000004
【図４】
0004611480.tif 000005